(57)【特許請求の範囲】
【請求項１】
第１の開口部を有する筐体と、
前記筐体の中に設けられ、前記第１の開口部に吹出口が向けられた温風発生装置と、
前記第１の開口部を開閉可能に覆う第１の開閉板と、
前記第１の開閉板を開閉する駆動手段と、
前記温風発生装置及び前記駆動手段を制御する制御部と、
を備え、
前記制御部は、前記温風発生装置を動作させる使用者の指示に基づいて前記第１の開閉板を開くように前記駆動手段を制御する第１の制御モードと、前記温風発生装置を動作させる使用者の指示に基づくことなく前記第１の開閉板を開くように前記駆動手段を制御する第２の制御モードと、を実行可能であることを特徴とする衛生洗浄装置。
【請求項２】
第１の開口部を有する筐体と、
前記筐体の中に設けられ、前記第１の開口部に吹出口が向けられた温風発生装置と、
前記第１の開口部を開閉可能に覆う第１の開閉板と、
前記第１の開閉板を開閉する駆動手段と、
前記温風発生装置及び前記駆動手段を制御する制御部と、
を備え、
前記制御部は、前記温風発生装置を動作させる際に前記第１の開閉板を開くように前記駆動手段を制御する第１の制御モードと、前記温風発生装置を動作させずに前記第１の開閉板を開くように前記駆動手段を制御する第２の制御モードと、を実行可能であることを特徴とする衛生洗浄装置。
【請求項３】
人体を検知する人体検知センサをさらに備え、
前記制御部は、前記人体検知センサによる人体の検知に応じて前記第２の制御モードを実行することを特徴とする請求項１または２に記載の衛生洗浄装置。
【請求項４】
人体を検知する人体検知センサをさらに備え、
前記制御部は、前記人体検知センサが人体を検知した後に非検知となったときに前記第２の制御モードを実行することを特徴とする請求項１または２に記載の衛生洗浄装置。
【請求項５】
便座と、便蓋と、をさらに備え、
前記制御部は、前記便座及び便蓋の少なくともいずれかが閉止されたときに前記第２の制御モードを実行することを特徴とする請求項１または２に記載の衛生洗浄装置。
【請求項６】
便座と、便蓋と、をさらに備え、
前記制御部は、前記便座及び便蓋の少なくともいずれかが開かれたときに前記第２の制御モードを実行することを特徴とする請求項１または２に記載の衛生洗浄装置。
【請求項７】
前記制御部は、所定の時間が経過すると前記第２の制御モードを実行することを特徴とする請求項１または２に記載の衛生洗浄装置。
【請求項８】
前記制御部は、所定の時刻が到来すると前記第２の制御モードを実行することを特徴とする請求項１または２に記載の衛生洗浄装置。
【請求項９】
前記第２の制御モードにおいて前記第１の開閉板が開かれる角度は、前記第１の制御モードにおいて前記第１の開閉板が開かれる角度よりも小さいことを特徴とする請求項１〜８のいずれか１つに記載の衛生洗浄装置。
【請求項１０】
前記筐体に設けられた第２の開口部から進退可能とされた吐水ノズルと、
前記第２の開口部を開閉可能に覆う第２の開閉板と、
をさらに備え、
前記制御部は、前記吐水ノズルが前記第２の開口部から進出しているときは前記第２の制御モードの実行を禁止することを特徴とする請求項１〜９のいずれか１つに記載の衛生洗浄装置。
【請求項１１】
前記筐体の前面は、後方に湾曲した湾曲凹面を有し、前記第１及び第２の開口部は、前記湾曲凹面に設けられたことを特徴とする請求項１〜１０のいずれか１つに記載の衛生洗浄装置。
【請求項１２】
腰掛便器と、
前記腰掛便器の上部に設置される請求項１〜１１のいずれか１つに記載の衛生洗浄装置と、
を備えたことを特徴とするトイレ装置。
【発明の詳細な説明】
【技術分野】
【０００１】
本発明は、衛生洗浄装置及びトイレ装置に関し、より具体的には、洋式腰掛便器に腰かけた使用者の「おしり」などを水で洗浄する衛生洗浄装置及びこれを備えたトイレ装置に関する。
【背景技術】
【０００２】
衛生洗浄装置は、洗浄水を噴射する吐水ノズルをその内部に進退自在に収容し、腰掛便器の上面後部に設置して使用する形態のものが主流となっている。このような衛生洗浄装置に、温風を吹き出して使用者の「おしり」などを乾燥させる「温風乾燥機能」を設けると、さらに使い勝手がよくなり、トイレットペーパーの使用量を減らすことによる省資源化にも有効である。
【０００３】
例えば、吐水ノズルが進退する開口部と、温風ダクトから温風を吹き出す開口部と、を隣接させ、これら開口部をそれぞれ開閉可能な蓋で覆う自動局部洗浄装置が開示されている（特許文献１）。ところが、温風が吹き出す開口部とその開閉蓋は、衛生洗浄装置の筐体の前面付近に設けられるため、吐水ノズルから使用者の「おしり」などに水を噴射して洗浄する際や、男性の立位での小用の際などに、水分などがかかることがある。そして、温風の開閉蓋は、温風乾燥を実施する時しか開かないため、温風乾燥を実施しない期間が長く続くと、その開閉蓋のまわりに付着した水分などが蒸発し含有されるカルキ成分などが残留することにより開閉蓋が固着して開きにくくなることがあり得る。
【特許文献１】実開昭６０−１２００８２号公報
【発明の開示】
【発明が解決しようとする課題】
【０００４】
本発明は、温風ダクトの吹出口に設けられた開閉板の固着を防止した衛生洗浄装置及びこれを備えたトイレ装置を提供するものである。
【課題を解決するための手段】
【０００５】
本発明の一態様によれば、第１の開口部を有する筐体と、前記筐体の中に設けられ、前記第１の開口部に吹出口が向けられた温風発生装置と、前記第１の開口部を開閉可能に覆う第１の開閉板と、前記第１の開閉板を開閉する駆動手段と、前記温風発生装置及び前記駆動手段を制御する制御部と、を備え、前記制御部は、前記温風発生装置を動作させる使用者の指示に基づいて前記第１の開閉板を開くように前記駆動手段を制御する第１の制御モードと、前記温風発生装置を動作させる使用者の指示に基づくことなく前記第１の開閉板を開くように前記駆動手段を制御する第２の制御モードと、を実行可能であることを特徴とする衛生洗浄装置が提供される。
【０００６】
また、本発明の他の一態様によれば、第１の開口部を有する筐体と、前記筐体の中に設けられ、前記第１の開口部に吹出口が向けられた温風発生装置と、前記第１の開口部を開閉可能に覆う第１の開閉板と、前記第１の開閉板を開閉する駆動手段と、前記温風発生装置及び前記駆動手段を制御する制御部と、を備え、前記制御部は、前記温風発生装置を動作させる際に前記第１の開閉板を開くように前記駆動手段を制御する第１の制御モードと、前記温風発生装置を動作させずに前記第１の開閉板を開くように前記駆動手段を制御する第２の制御モードと、を実行可能であることを特徴とする衛生洗浄装置が提供される。
【０００７】
また、本発明のさらに他の一態様によれば、腰掛便器と、前記腰掛便器の上部に設置される上記の衛生洗浄装置と、を備えたことを特徴とするトイレ装置が提供される。
【発明の効果】
【０００８】
本発明によれば、温風ダクトの吹出口に設けられた開閉板の固着を防止した衛生洗浄装置及びこれを備えたトイレ装置を提供することができる。
【発明を実施するための最良の形態】
【０００９】
以下、図面を参照しつつ本発明の実施の形態について説明する。  
図１は、本実施形態にかかる衛生洗浄装置の要部構成を例示するブロック図である。  
本実施形態の衛生洗浄装置１００は、人体検知センサ４２０、５００と、ノズルユニット６１０と、温風乾燥ユニット（温風発生装置）６２０と、駆動手段４７２と、便蓋を開閉する便蓋開閉ユニット７２０と、便座を開閉する便座開閉ユニット７８０と、を有する。人体検知センサ４２０、５００は、衛生洗浄装置１００の近くにいる使用者を検知したり、便座に着座した使用者を検知する。ノズルユニット６１０は、衛生洗浄装置の本体から進退自在な吐水ノズルを有し、便座に座った使用者の「おしり」などに向けて水を噴射する。温風乾燥ユニット６２０は、同じく便座に座った使用者の「おしり」などに向けて温風を吹き出すことにより、乾燥させる。駆動手段４７２は、温風乾燥ユニット６２０の温風吹出口の前に設けられた温風ダンパー（第１の開閉板）を開閉する
これら各要素の動作は、制御部６４０により制御される。また、制御部６４０には、リモコンなどの操作部９００からの信号が入力され、使用者の指示に応じた動作を実行可能とされている。そして、本実施形態においては、制御部６４０は、第１の制御モードと、第２の制御モードと、を実行可能とされている。
【００１０】
図２は、第１及び第２の制御モードの内容を例示するフローチャートである。  
第１の制御モードは、使用者が温風乾燥の指示をした時に実行される。すなわち、使用者が操作部９００に設けられた温風乾燥のためのスイッチなどをオンにすると（ステップＳ１０２）、制御部６４０は駆動手段４７２を制御することにより温風吹出口の前に設けられた温風ダンパーを開く（ステップＳ１０４）。そして、温風乾燥ユニット６２０を制御することにより温風を使用者の「おしり」などに向けて吹き出させる（ステップＳ１０６）。なお、ステップＳ１０６をＳ１０４よりも先に実行してもよいし、同時に実行してもよい。すなわち、温風の吹き出しを開始してから、温風ダンパーを開けてもよく、温風の吹き出しと同時に温風ダンパーを開けてもよい。
【００１１】
そして、使用者が温風乾燥スイッチをオフにすると（ステップＳ１０８）、制御部６４０は温風乾燥ユニット６２０を停止させ（ステップＳ１１０）、駆動手段４７２を制御して温風ダンパーを閉じる（ステップＳ１１２）。なおここでも、ステップＳ１１２はＳ１１０よりも先に実行してもよく、同時に実行してもよい。  
以上説明した第１の制御モードによれば、便座に座った使用者がリモコンなどのスイッチを操作することにより、温風乾燥ユニット６２０を動作させて「おしり」などを乾燥することができる。
【００１２】
一方、第２の制御モードは、使用者による温風乾燥の指示に基づくことなく温風ダンパーの開閉を実行する。  
すなわち、使用者による温風乾燥の指示とは直接的に対応しない固着防止トリガがオンになると（ステップＳ２０２）、制御部６４０は、駆動手段４７２を制御して温風吹出口の前に設けられた温風ダンパーを開き（ステップＳ２０４）、しかる後に閉じる（ステップＳ２０６）。  
第２の制御モードによれば、使用者が温風乾燥を実行しない時にも、温風ダンパーを開閉動作させることができる。その結果として、例えば、衛生洗浄装置１００の使用者が長期間に亘り温風乾燥スイッチをオンにしないような場合でも、温風吹出口の前に設けられた温風ダンパーの固着を防止できる。
【００１３】
第２の制御モードにおける固着防止トリガは、後に詳述するように、例えば、人体検知センサ４２０、５００による人体の検知や、あるいは検知後に非検知となった場合、また、便座あるいは便蓋が開放された場合や閉止された場合、また、所定の時間の経過や所定の時刻の到来などを挙げることができる。
【００１４】
なお、第１の制御モードと第２の制御モードとが重複した場合、例えば、第１の制御モードの実行中に、固着防止トリガがオンになったような場合には、第２の制御モードの実行を禁止すればよい。また、後に詳述するように、例えば、使用者が吐水ノズルにより「おしり」などを洗浄している場合にも、第２の制御モードを禁止してもよい。
【００１５】
以下、具体例を参照しつつ、本発明の実施の形態についてさらに詳細に説明する。  
図３は、本発明の実施の形態にかかるトイレ装置の外観を表す模式斜視図である。  
また、図４は、このトイレ装置の便座２００と便蓋３００を開いた状態を表す。    
また、図５は、その本体部４００の中央部を正面から眺めた模式図である。
【００１６】
本具体例のトイレ装置は、洋式腰掛便器８００と、その上に設けられた衛生洗浄装置１００と、を備える。衛生洗浄装置１００は、本体部４００と、便座２００と、便蓋３００と、を有する。便座２００と便蓋３００は、本体部４００に対して開閉自在にそれぞれ軸支されている。
【００１７】
本体部４００には、図１に関して前述したような機能部が内蔵されている。すなわち、人体検知センサ４２０により使用者が便座２００に座ったことを検知し、使用者のスイッチ操作などに応じて本体部４００から吐水ノズル（図示せず）を便器８００のボウル内に進出させ、その先端付近に設けられた吐水口から水を噴射して、便座に座った使用者の「おしり」などを洗浄可能とされている。なお、本願明細書において「水」という場合には、冷水のみならず、加熱されたお湯も含むものとする。  
また、本体部４００には、便座２００に座った状態の使用者の「おしり」などに向けて温風を吹き付けて乾燥させる温風乾燥ユニットが設けられている。
【００１８】
またさらに、本体部４００には、「脱臭ユニット」や「室内暖房ユニット」などの各種の機構が適宜設けられ、その側面には、脱臭ユニットからの排気口４４０及び室内暖房ユニットからの排出口４５０が適宜設けられている。また、使用者の接近を検知して便蓋３００を自動的に開き、使用者がいなくなると便蓋３００を自動的に閉じる「オート開閉機能」を設けることもできる。またさらに、便器８００に洗浄水を流す「自動水洗機能」を、衛生洗浄装置１００に付加してもよい。これは、ロータンクやフラッシュバルブの排水機構を動作させる駆動機構を設け、この駆動機構を動作させる信号を本体部４００から出力して、便器８００に自動的に洗浄水を流す機能である。
【００１９】
これらの機能は、本体部４００に設けられた操作部（図示せず）を適宜操作することにより実行・設定でき、また、トイレの壁面などに設置されたリモコンを操作することにより実行させることも可能である。
【００２０】
図６は、リモコンの具体例を表す模式図である。  
本具体例のリモコン９００は、「おしり」スイッチ９０２、「やわらか」スイッチ９０４、「ビデ」スイッチ９０６、「止」スイッチ９０８、「乾燥」スイッチ９１０などを有する。「おしり」スイッチ９０２、「やわらか」スイッチ９０４あるいは「ビデ」スイッチ９０６を操作すると、本体部４００から吐水ノズルが進出して使用者の「おしり」などに水が噴射される。また、「乾燥」スイッチ９１０が操作されると、第１の制御モードが実行される。すなわち、温風ダンパーが開き、「おしり」に向けて温風が吹き出す。そして、「止」スイッチ９０８が操作されると、吐水ノズルによる洗浄や温風乾燥が停止する。
【００２１】
一方、図３及び図４に表したように、本体部４００の上面に凹設部４１０が形成され、この凹設部４１０に一部が埋め込まれるように人体検知センサ５００が設けられている。人体検知センサ５００は、便蓋３００が閉じた状態においては、その基部付近に設けられた透過窓３１０を介して使用者の存在を検知する。
【００２２】
本具体例においては、図４に表したように、本体部４００が、便器８００のボウル８１０の開口端に合わせて後退した形状を有する。すなわち、本体部４００は、便器８００の上部後方に設置され、その前面が、便器８００のボウル８１０の開口端の形状に沿ってボウル８１０の開口端よりもボウル８１０の側にわずかに突出するように凹状に湾曲した湾曲凹面４０２とされている。なおここで、「後方」とは、図３に表したように、通常はロータンクやフラッシュバルブなどが設置される側であり、通常の使用態様において使用者からみて遠い側を意味する。
【００２３】
湾曲凹面４０２の左右には、ボウル８１０の開口端に沿って前方に向けて延出した延出部４０４が設けられている。湾曲凹面４０２は、その中央付近が高く、左右の延出部４０４に近づくにしたがって次第に低くなる形状を有する。
【００２４】
湾曲凹面４０２の中央付近の高い部分には、吐水ノズルを進出及び後退させる開口（第２の開口部）４０２Ｂ及びその開口４０２Ｂを覆う閉止部材としてのノズルダンパー（第２の開閉板）４６０が設けられ、その右側の開口（第１の開口部）４０２Ａには温風ダンパー（第１の開閉板）４７０が設けられている。
【００２５】
図７は、ノズルダンパー４６０及び温風ダンパー４７０の開閉状態を表す模式図である。  これらのダンパー４６０、４７０は、いずれも開閉自在に支持され、待機状態においては、図７（ａ）に表したように、いずれも閉じられた状態とされる。そして、便座２００に座った使用者の「おしり」などを洗浄するために吐水ノズルが進出すると、図７（ｂ）に表したように、ノズルダンパー４６０が開く。また、第１の制御モードが実行され、温風乾燥ユニット６２０から使用者の「おしり」などに向けて温風を吹き付ける際には、図７（ｃ）に表したように、温風ダンパー４７０が開く。同様に、第２の制御モードが実行された場合も、図７（ｃ）に表したように、温風ダンパー４７０が開く。ただし、第１の制御モードにおける温風ダンパー４７０の開き角度と、第２の制御モードにおける温風ダンパー４７０の開き角度と、は必ずしも同一である必要はない。例えば、第２の制御モードにおける温風ダンパー４７０の開き角度を第１の制御モードにおける温風ダンパー４７０の開き角度よりも小さくしてもよい。このようにしても温風ダンパー４７０の固着を防止する効果は得られ、さらに、小さなストロークで開閉を短時間に終了させることにより、動作音を抑制したり使用者に気づかせないようにすることができる。
【００２６】
図８〜図１４は、第２の制御モードの具体例を表すフローチャートである。  
図８に表した具体例の場合、固着防止トリガとして、人体検知センサ４２０、５００が人体を検知すると（ステップＳ２０２）、制御部６４０が駆動手段４７２を制御して温風ダンパーを開き（ステップＳ２０４）、しかる後に閉じる（ステップＳ２０６）。より具体的には、例えば、本体部４００の上面に設けられた人体検知センサ５００（図３、図４参照）が、衛生洗浄装置に近づく使用者を検知した時に、第２の制御モードを開始することができる。この時、便座２００または便蓋３００が閉じていれば、温風ダンパー４７０の開閉を使用者に気づかれずに実行できる。また、第２の制御モードは速やかに完了できるので、使用者の操作による吐水ノズルの動作などと重なるおそれも少ない。  
または、人体検知センサ４２０（図３〜図５参照）が便座に座った使用者を検知した時に、第２の制御モードを開始してもよい。この場合も、温風ダンパー４７０の開閉を使用者に気づかれずに実行できる。第２の制御モードを速やかに実行すれば、使用者の操作による吐水ノズルの動作などと重なるおそれも少ない。  
本具体例によれば、トイレ装置が使用されるたびに第２の制御モードを実行できるので、温風ダンパー４７０の固着を確実に防止できる。
【００２７】
図９に表した具体例の場合、固着防止トリガとして、人体検知センサ４２０、５００が人体を検知した（ステップＳ２０２Ａ）後に、人体を検知しなくなった時（ステップＳ２０２Ｂ）に、制御部６４０が駆動手段４７２を制御して温風ダンパーを開き（ステップＳ２０４）、しかる後に閉じる（ステップＳ２０６）。例えば、着座センサ（図３〜図５参照）が便座に座った使用者を検知した後に、再び非検知となったときに、第２の制御モードを開始することができる。この場合には、便座から使用者が立ち上がった時に、第２の制御モードが開始される。
【００２８】
また一方、人体検知センサ４２０（図３〜図５参照）として、着座センサと測距センサ（あるいは焦電センサ）を組み合わせ、この着座センサが便座に座った使用者を検知した後に非検知となり、さらに測距センサ（あるいは焦電センサ）も非検知となったときに、第２の制御モードを開始することができる。この場合には、便座から立ち上がった使用者が、トイレから退出した時に、第２の制御モードが開始される。図９に表した具体例においても、温風ダンパー４７０の開閉を使用者に気づかれずに実行できる。また、使用者の操作による吐水ノズルの動作などと重なるおそれも少ない。
【００２９】
本具体例によれば、衛生洗浄装置１００が使用された直後に第２の制御モードを実行できるので、温風ダンパー４７０の周囲に水や小水などがかかった場合でも、温風ダンパー４７０を開閉して水や小水など除去することができ、温風ダンパー４７０の固着をより確実に防止できる。また、本具体例においても、トイレ装置が使用されるたびに第２の制御モードを実行できるので、温風ダンパー４７０の固着防止に効果的である。
【００３０】
次に、図１０に表した具体例の場合、固着防止トリガとして、便座２００または便蓋３００が開放された時（ステップＳ２０２）に、第２の制御モードを開始する。すなわち、図１に表した具体例の場合、便蓋を開閉する便蓋開閉ユニット７２０と、便座を開閉する便座開閉ユニット７８０と、が設けられている。これらユニット７２０、７８０は、便座２００、便蓋３００の位置または動作状態をそれぞれ検知可能とすることができる。従って、例えば、便蓋開閉ユニット７２０または便座開閉ユニット７８０の動作により便座２００または便蓋３００が自動的に開かれた場合、あるいは使用者が便座２００または便蓋３００を手動により開いた場合に、これらを検知し、固着防止トリガとすることができる。なお、便座２００や便蓋３００を自動開閉する機構を設けなくとも、それらの位置または動作状態を検知するセンサ機構を設ければ、同様の固着防止トリガが得られる。  
例えば、便座２００を開放した時に第２の制御モードを実行するものとすれば、使用者が温風ダンパー４７０の固着防止動作を目視により確認できるという効果が得られる。
【００３１】
次に、図１１に表した具体例の場合、固着防止トリガとして、便座２００または便蓋３００が閉止された時（ステップＳ２０２）に、第２の制御モードを開始する。すなわち、図１０に関して前述したものとは逆に、例えば、便蓋開閉ユニット７２０または便座開閉ユニット７８０の動作により便座２００または便蓋３００が自動的に閉じられた場合、あるいは使用者が便座２００または便蓋３００を手動により閉じた場合に、これらを検知し、固着防止トリガとすることができる。  
本具体例においても、衛生洗浄装置１００が使用された直後に第２の制御モードを実行できるので、温風ダンパー４７０の周囲に水や小水などがかかった場合でも、温風ダンパー４７０を開閉して水や小水など除去することができ、温風ダンパー４７０の固着をより確実に防止できる。また、本具体例においては、温風ダンパー４７０の開閉を使用者に気づかれずに実行できる。また、使用者の操作による吐水ノズルの動作などと重なるおそれも少ない。
【００３２】
次に、図１２に表した具体例の場合、固着防止トリガとして、タイマのカウントが終了した時（ステップＳ２０２）に、第２の制御モードを開始する。すなわち、図１に関して前述した制御部６４０がタイマを内蔵し、例えば人体検知センサ４２０の人体非検知により衛生洗浄装置の使用終了とみなし、その使用終了からの経過時間をカウントする。そして、所定の時間が経過したら、第２の制御モードを開始する。なおこの場合、例えば、吐水ノズルが進出していたり、温風乾燥を実行中の場合には、第２の制御モードを禁止することができる。また、これとは逆に、本具体例において第２の制御モードを実行中に、使用者の操作により「おしり」の洗浄が指令されたような場合には、第２の制御モードが終了するまで「おしり」の洗浄を待機することが望ましい。なお、本具体例において第２の制御モードを実行中に、使用者の操作により温風乾燥が指令された場合には、直ちに温風乾燥のシーケンスを開始することが可能である。
【００３３】
本具体例によれば、例えば衛生洗浄装置１００が長期間に亘り使用されないような場合でも、タイマのカウントによって定期的に第２の制御モードを実行でき、温風ダンパー４７０の固着を防止できる。なお、タイマで第２の制御モードの実行からの経過時間をカウントし、所定の時間が経過したら、再び第２の制御モードを開始するようにしてもよい。
【００３４】
次に、図１３に表した具体例の場合、固着防止トリガとして、所定の時刻が到来したら（ステップＳ２０２）に、第２の制御モードを開始する。すなわち、図１に関して前述した制御部６４０に時計が内蔵され、これをチェックする。そして、所定の時刻が到来したら、第２の制御モードを開始する。本具体例により設定される時刻としては、例えば、一日に一回または一週間に一回で、衛生洗浄装置１００の使用頻度が最も低い時間帯を設定することができる。このようにすれば、温風ダンパー４７０の開閉を使用者に気づかれずに実行でき、また、使用者の操作による吐水ノズルの動作などと重なるおそれも少ない。なお、衛生洗浄装置１００の使用頻度を制御部６４０に学習させ、使用頻度が最も低い時間帯を固着防止トリガとして自動的に設定するようにしてもよい。
【００３５】
本具体例においても、例えば、吐水ノズルが進出していたり、温風乾燥を実行中の場合には、第２の制御モードを禁止することができる。また、これとは逆に、本具体例において第２の制御モードを実行中に、使用者の操作により「おしり」の洗浄が指令されたような場合には、第２の制御モードが終了するまで「おしり」の洗浄を待機することが望ましい。なお、本具体例において第２の制御モードを実行中に、使用者の操作により温風乾燥が指令された場合には、直ちに温風乾燥のシーケンスを開始することが可能である。
【００３６】
本具体例によれば、例えば衛生洗浄装置１００が長期間に亘り使用されないような場合でも、定期的に第２の制御モードを実行でき、温風ダンパー４７０の固着を防止できる。
【００３７】
次に、図１４に表した具体例の場合には、第２の制御モードにおいて、温風または冷風を吹き出す。すなわち、図８〜図１３に関して前述したように、使用者による温風乾燥の指示とは直接的に対応しない固着防止トリガがオンになると（ステップＳ２０２）、温風ダンパー４７０を開き（ステップＳ２０４）、温風乾燥ユニット６２０から温風または冷風を吹き出す（ステップＳ２０８）。温風乾燥ユニット６２０は、電動ファンとヒータとを個別に制御可能であるので、これらを同時に用いることにより温風を発生させ、電動ファンのみを動作させることにより冷風を発生させることも可能である。温風または冷風を吹き出すことにより、温風ダンパー４７０の周囲に付着している水分などを除去する効果が促進される。なお、温風ダンパー４７０を開く（ステップＳ２０４）前に温風または冷風を吹き出して（ステップＳ２０８）もよい。このようにすると、温風ダンパー４７０が開き始めた僅かな隙間を温風または冷風が勢いよく通過するので、温風ダンパー４７０の周囲に付着した水分などを吹き飛ばす効果が促進される。
【００３８】
しかる後に、温風または冷風を止めて（ステップＳ２１０）、温風ダンパー４７０を閉じる（ステップＳ２０６）。ここでも、温風ダンパー４７０を閉じて（ステップＳ２０６）から、温風または冷風を止める（ステップＳ２１０）ようにしてもよい。こうすると、温風ダンパー４７０が完全に閉じる前の僅かな隙間を温風または冷風が勢いよく通過するので、温風ダンパー４７０の周囲に付着した水分などを吹き飛ばす効果が促進される。  
以下、本実施形態における第２の制御モードの実施例について説明する。  
図１５は、第２の制御モードの実施例を表すタイミングチャートである。  
本実施例は、図８に関して前述した具体例に対応する。すなわち、使用者が便座２００に着座したことを人体検知センサ４２０（図３〜図５参照）が検知すると、第２の制御モードが実行され、温風ダンパーが開かれ、閉じられる（Ａ）。後に実行される温風乾燥の際の波形と比較すると分かるように、第２の制御モードにおいては、温風ダンパー４７０は完全には開かれず、その開き角度は相対的に小さく設定されている。
【００３９】
しかる後に、使用者が「おしり」洗浄スイッチを操作して吐水ノズルによる洗浄が開始され、使用者により水勢が変更され、「乾燥」スイッチが操作される。すると、吐水ノズルが後退して収納され、これに続いて温風ダンパー４７０が開かれ、温風モータ及び温風ヒータが動作して温風が吹き出される。これにより、温風ダンパー４７０とノズルダンパー４６０との干渉が防止される。  
その後、使用者が再び「おしり」スイッチを操作し、これに応じて温風ファンと温風ヒータが停止し、温風ダンパー４７０が閉じる。その後、吐水ノズルが進出して洗浄が再開される。この際にも、温風ダンパー４７０とノズルダンパー４６０との干渉が防止される。
【００４０】
以上説明したように、使用者が便座２００に着座したことを固着防止トリガとすることで第２の制御モードを実行できる。このようにすると、使用者が着座した時に、温風ダンパー４７０を一旦開き閉じることにより、確実に閉じた状態に規制できる。従って、例えば、衛生洗浄装置１００を清掃した際に温風ダンパー４７０を少し開いてしまい、その状態で放置されたような場合も、使用者の着座により第２の制御モードを実行して、温風ダンパー４７０をその動作の原点位置に確実に復帰させることができる。
【００４１】
図１６は、第２の制御モードのもうひとつの実施例を表すタイミングチャートである。  本実施例は、図９に関して前述した具体例に対応する。すなわち、使用者が便座２００に着座したことを人体検知センサ４２０（図３〜図５参照）が検知し、しかる後に、使用者が「おしり」洗浄スイッチを操作して吐水ノズルによる洗浄が開始され、使用者により水勢が変更され、「止」スイッチが操作される。すると、吐水ノズルが後退して収納される。その後、使用者が「乾燥」スイッチを操作すると、温風ダンパー４７０が開かれ、温風モータ及び温風ヒータが動作して温風が吹き出される。そして、使用者が「止」スイッチを操作し、これに応じて温風ファンと温風ヒータが停止し、温風ダンパー４７０が閉じる。
【００４２】
その後、使用者が便座から立ち上がると着座センサが非検知となり、続いて使用者がトイレから退出すると、人体検知センサ（人体Ｂ）が非検知となる。すると、これらを固着防止トリガとして、第２の制御モードが実行される。すなわち、温風ダンパーが開かれ、閉じられる（Ｂ）。本実施例においても、その前に実行された温風乾燥の際の波形と比較すると分かるように、第２の制御モードにおいては、温風ダンパー４７０は完全には開かれず、その開き角度は相対的に小さく設定されている。
【００４３】
以上説明したように、着座センサや人体検知センサが非検知となることを固着防止トリガとして第２の制御モードを実行できる。このようにすると、図９に関して前述したように、衛生洗浄装置１００が使用された直後に第２の制御モードを実行できるので、温風ダンパー４７０の周囲に水や小水などがかかった場合でも、温風ダンパー４７０を開閉して水や小水など除去することができ、温風ダンパー４７０の固着をより確実に防止できる。また、本具体例においても、トイレ装置が使用されるたびに第２の制御モードを実行できるので、温風ダンパー４７０の固着防止に効果的である。
【００４４】
以上、本実施形態における第２の制御モードについて説明した。
【００４５】
次に、本実施形態の衛生洗浄装置の各部の構成について、具体例を参照しつつ詳細に説明する。
【００４６】
図１７は、温風ダンパー４７０の開閉機構を表す模式断面図である。  
また、図１８は、温風ダンパー４７０の駆動機構を表す斜視組立図である。  
また、図１９は、温風ダンパー４７０及びモータ４７２の取付部を表す模式図である。  また、図２０は、フレーム４８０をケースカバー４３０に取り付ける組立工程を表す斜視図である。
【００４７】
図１７に表したように、本体部４００は、筐体を構成するケースカバー４３０とケースプレート７７０とを有する。そして、温風ダンパー４７０の背後には温風乾燥ユニット６２０の吹出口６２２が配設されている。前述したように、温風乾燥ユニットは、ファン及びヒータを内蔵し、吹出口６２２から使用者の「おしり」に向けて温風を吹き出す。
【００４８】
温風ダンパー４７０は、図１９に表したようにノズルダンパー４６０とともにフレーム４８０に回動自在に支持され、このフレーム４８０がケースカバー４３０に取り付けられている。温風ダンパー４７０の回動運動の回転軸は、吹出口６２２よりも上方に設けられている。一方、温風ダンパー４７０の背後には、モータ（駆動手段）４７２が収容されている。モータ４７２は、取付台４９０を介してケースプレート７７０に固定されている。モータ４７２としては、例えばステッピングモータを用いることができ、本具体例においては、吐水ノズルの下に配置されている。ステッピングモータを用いた場合、図７に関して前述したように、第２の制御モードを実行する際に、温風ダンパー４７０の開き角度を小さくすることが容易となる。
【００４９】
モータ４７２の回転軸には、第１レバー４７３が結合されている。第１レバー４７３は、モータ４７２の回転動作に応じて所定の範囲で回動する。第１レバー４７３の先端には、第２レバー４７４が結合されている。第２レバー４７４の先端には保持部４７５が設けられている。保持部４７５は、温風ダンパー４７０の上部背面側に設けられたリンク軸４７６に結合されている。
【００５０】
図１７（ａ）に表したように、温風ダンパー４７０が閉じた状態から、モータ４７２が矢印Ａの方向に回転すると、第２レバー４７４が矢印Ｂの方向に引っ張られる。この引っ張り力は、温風ダンパー４７０のリンク軸４７６に伝達され、温風ダンパー４７０が矢印Ｃで表した方向に回動して開く。図１７（ｂ）は、温風ダンパー４７０が完全に開いた状態を表す。この状態において、温風乾燥ユニット６２０の吹出口６２２から吹き出した温風は、温風ダンパー４７０に遮られることなく、便座に座った使用者の「おしり」に確実にあてることができる。なお、図１８は組立途中の状態を表し、組立が終了した後は、図１８に表したように第１レバー４７３がほぼ正立した状態では温風ダンパー４７０は閉じた状態となる。
【００５１】
組立に際しては、モータ４７２に第１レバー４７３、第２レバー４７４、温風ダンパー４７０を取り付けた状態で、ケースプレート７７０に取り付ける。一方、図２０に表したように、ノズルダンパー４６０をフレーム４８０に取り付けた状態で、ねじ４８３などを用いてフレーム４８０をケースカバー４３０に固定する。なお、ノズルダンパー４６０は、スプリング４８１の付勢力により、閉じた状態に付勢されている。  
この後、ケースカバー４３０をケースプレート７７０に取り付けて、第２レバー４７４に結合された状態の温風ダンパー４７０をフレーム４８０に装着する。温風ダンパー４７０およびノズルダンパー４６０をフレーム４８０を介してケースカバー４３０に固定する構造とすると、高い取り付け精度が得られ組立も容易となる。
【００５２】
ここで、本体部４００のケースカバー４３０の前方の上面には傾斜面４０８が設けられているが、便座２００（図３及び図４参照）を閉じた状態においては、便座２００の下面が傾斜面４０８に隣接する。温風ダンパー４７０が開いた時に、その先端が便座２００の下面に当接すると、異音や傷つきなどが生ずる点で好ましくない。一方で、温風ダンパー４７０は、吹出口６２２から吹き出す温風を妨げることがないように、できるだけ大きく開くことが望ましい。
【００５３】
これに対して、本具体例によれば、温風ダンパー４７０の回転軸を吹出口６２２よりも上方に設け、さらにその上方に設けたリンク軸４７６で第２レバー４７４に結合することにより、便座２００に当接することなく、且つ吹出口６２２を遮ることもなく、大きく開かせることができる。
【００５４】
なお、温風ダンパー４７０は、例えば、ポリプロピレンなどの樹脂により形成することができる。また、温風ダンパー４７０は、ステンレスや表面をアルマイト処理したアルミニウムなどにより形成してもよい。一方、フレーム４８０、第１レバー４７３、第２レバー４７４などは、樹脂などにより形成することができる。
【００５５】
またさらに、本具体例によれば、図５などに表したように、湾曲凹面４０２の中央付近の高い部分に温風ダンパー４７０を設けることにより、使用者の「おしり」などを乾燥する温風の吹出口を好適な形状にできる。  
図２１は、温風の吹出口の形状を例示する模式図である。すなわち、同図（ａ）は本具体例における吹出口６２２を例示し、同図（ｂ）は比較例の吹出口６２２を例示する。
【００５６】
所定の風量の温風を吹き出すためには、吹出口の開口面積は所定の大きさである必要がある。本体部４００の前面の高さが低い場合には、図２１（ｂ）に表したように、縦方向の幅が低く横方向に偏平な吹出口を採用せざるを得ない。例えば、図２１（ｂ）に例示した比較例の吹出口の場合、その縦方向の幅Ａは１０ミリメータであるのに対して横幅Ｂは４３ミリメータであり、横方向に偏平した開口を有する。
【００５７】
しかし、図４及び図５に関して前述したように本体部４００の前面を後退させて湾曲凹面４０２を形成したことにより、吹出口の位置は、使用者の「おしり」などから遠ざかることとなる。このような場合に図２１（ｂ）に表したような偏平な吹出口を用いると、温風が左右方向に拡散してしまい、使用者の「おしり」に十分な風量の温風を届かせることが困難となる。
【００５８】
またさらに、図２１（ｂ）に表したように吹出口６２２を偏平にした場合には、その前に設けた温風ダンパーを温風の勢いにより開くことも可能である。これは、温風ダンパーの高さ方向の幅が小さくて済むからである。  
しかし、図２１（ａ）に表したように、吹出口６２２の縦方向の寸法Ａが大きくなると、温風ダンパー４７０の高さ方向の幅も大きくなる。すると、温風ダンパー４７０を温風の勢いで開けることが困難になる。
【００５９】
これに対して、本実施形態によれば、図１７〜図２０に関して前述したように温風ダンパー４７０を電動開閉式とすることにより、高さ方向の幅が大きい温風ダンパー４７０を確実に開閉できる。その結果として、図２１（ａ）に表したように、縦方向の幅と横幅とが接近した吹出口６２２を設けることができる。これは、湾曲凹面４０２の中央付近を高くし、この近傍に電動開閉式の温風ダンパー４７０を設けたからである。例えば、図２１（ａ）に例示した吹出口の場合、その開口の縦方向の幅Ａを１８ミリメータまで拡大できる。その結果、横方向の幅Ｂを２７ミリメータまで縮小させ、開口寸法の縦横比を１に近づけることができる。このように開口寸法の縦横比を１に近づけることにより、集束した温風を吹き出すことができる。その結果として、使用者の「おしり」からみて後方に遠ざかった湾曲凹面４０２から使用者の「おしり」に集束した温風を届かせることができる。
【００６０】
なお、図２１（ｂ）に表した比較例の吹出口の開口面積は約４３０平方ミリメータであるのに対して、図２１（ａ）に表した吹出口の開口面積は約４８０ミリメータである。つまり、湾曲凹面４０２の中央付近の背の高い部分にノズルダンパー４６０を設けることにより、吹出口の縦方向の寸法を大きくでき、開口の縦横比を１に近づけつつ開口面積を拡大することも可能となる。  
本具体例によれば、湾曲凹面４０２の中央付近に設けられた温風ダンパー４７０の背後に設けられた吹出口６２２から、便座２００に座った使用者の「おしり」の方向に集束した温風Ｈを吹き出すことができる。吹出口６２２が左右（水平）方向に偏平ではなく、開口寸法の縦横比が１に近いので、放出される温風Ｈが左右（水平）方向に拡がらず、集束した温風Ｈを遠くまで届けることができる。また、吹出口６２２の縦寸法を大きくすることにより、温風Ｈを上方に向けることができる。その結果として、便座２００に座った使用者の「おしり」に、十分な風量の温風Ｈを届けることができる。
【００６１】
図２２（ａ）は本実施形態、（ｂ）は比較例の衛生洗浄装置の温風乾燥ユニットから放出される温風Ｈの分布を正面（前方）から眺めた模式図である。
【００６２】
ここで、本実施形態の温風乾燥ユニットは、図２１（ａ）に表した吹出口を有し、比較例の温風乾燥ユニットは図２１（ｂ）に表した吹出口を有する。ここで、比較例は、図２７に表した形態を有する。また、各図において、便座に座った使用者の「おしり」の中心位置を符号Ｃにより表した。
【００６３】
本実施形態においては、比較例よりも温風Ｈの中心位置を高くすることができる。これは、図２１に関して前述したように、湾曲凹面４０２の中央付近の背の高い部分に吹出口６２２を設けることにより、開口の縦方向の寸法を大きくできたからである。  
本具体例（図４参照）においては、比較例（図２７参照）よりも吹出口６２２の位置が後方に遠ざかっているので、比較例の吹出口を本具体例の温風ダンパー４７０の位置に設けたとすると、使用者の「おしり」の位置において、温風Ｈの中心が下がってしまう。これに対して、本具体例の場合、使用者の「おしり」の位置において、比較例と比べて温風Ｈの中心を１５ミリメータほど高くすることができる。このように温風Ｈの中心を高くすることにより、使用者の「おしり」に確実に温風Ｈをあてることができる。
【００６４】
また、比較例においては図２１（ｂ）に表したように温風Ｈが左右（水平）方向に拡がっているのに対して、本具体例においては図２１（ａ）に表したように温風Ｈが左右方向にも拡がらず、集束したままの温風Ｈを使用者の「おしり」の位置まで届けることができる。
【００６５】
その結果として、図２１（ｂ）に表した比較例よりも図２１（ａ）に表した本具体例においては、集束させ温度の低下を抑制した温風Ｈを遠くの使用者の「おしり」に確実に届けることができる。つまり、本実施形態によれば、図５などに表したように、湾曲凹面４０２の中央付近を高くし、この高い部分に電動開閉式の温風ダンパー４７０を設けることにより、温風ダンパー４７０を確実に開閉可能としつつ、温風の吹出口６２２の縦方向の寸法を拡大し縦横比を１に近づけて、集束した温風Ｈを遠くまで届けることができる。
【００６６】
しかし、このように吹出口６２２の縦横比を１に近づけ、さらにその前に電動開閉式の温風ダンパー４７０を設けた場合、温風ダンパー４７０のサイズが必然的に大きくなる。また、この温風ダンパー４７０は、湾曲凹面４０２の一部を構成し前面に露出するため、その周囲のケースカバー４３０との隙間もできるだけ小さくすることが望ましい。このようにサイズの大きな温風ダンパー４７０を周囲の部材に密接して設けた場合、その周囲で水分などが蒸発してカルキ成分などが残留すると固着しやすく、また固着した温風ダンパー４７０を引きはがすためにはより大きな力が必要とされる。
【００６７】
これに対して、本実施形態によれば、第２の制御モードを適宜実行することにより、温風ダンパー４７０の固着を確実且つ容易に防止できる。その結果として、衛生洗浄装置１００の温風乾燥機能が損なわれることなく、永続的に使用可能となる。
【００６８】
次に、温風ダンパー４７０とノズルダンパー４６０との干渉について説明する。  
図２３及び図２４は、温風ダンパー４７０とノズルダンパー４６０との干渉を説明するための模式図である。  
ノズルダンパー４６０と温風ダンパー４７０とは、いずれも湾曲凹面４０２に沿って設けられているので、それらの回転軸は平行ではない。また、これらのダンパー４６０、４７０は隣接して設けられている。従って、これらのダンパー４６０、４７０が両方とも大きく開くと、干渉することがある。このため、これらダンパー４６０、４７０の開閉の際には、所定の制御をする必要がある。
【００６９】
ここで、温風ダンパー４７０は、前述の如くモータ４７２により電動開閉される。一方、ノズルダンパー４６０は、スプリング４８１の付勢力により通常は閉じた状態に維持され、吐水ノズルが進出するとこれに押されて開く。従って、ノズルダンパー４６０と温風ダンパー４７０の開閉のタイミングによっては、両方が同時に開いてもよい場合がある。
【００７０】
図２３に表した具体例の場合、ノズルヘッド６１１、第１のシリンダ部６１２及び第２のシリンダ部６１３からなる３段式の吐水ノズルが進出することにより、ノズルダンパー４６０が開いている。そして、このようにノズルダンパー４６０が開いた後に、モータ４７２により温風ダンパー４７０が開いている。温風ダンパー４７０が完全に開いた状態においては、その先端がノズルダンパー４６０に当接し、スプリング４８１の付勢力に対抗してノズルダンパー４６０をさらに持ち上げる。この時、温風ダンパー４７０とノズルダンパー４６０との間には、スプリング４８１の付勢力が作用しているだけであるので、これらダンパー４６０、４７０に傷が付いたり破損することはなく、引っかかる心配もない。
【００７１】
また、図２３に表した状態においては、ノズルダンパー４６０は吐水ノズルから持ち上げられ離間している。従って、図２４に表したように、吐水ノズルを後退させ本体部４００に収納しても、ノズルダンパー４６０は温風ダンパー４７０に当接し開いた状態を維持する。つまり、ノズルダンパー４６０が温風ダンパー４７０よりも先に開き始めた場合には、これらダンパー４６０、４７０が互いに干渉しても強い力は作用しないので、傷がついたり、引っかかって動かなくなったり、破損や故障などが生ずることはない。
【００７２】
なお、図２３及び図２４に表した状態とは逆に、温風ダンパー４７０が開いた状態で吐水ノズルが進出することによりノズルダンパー４６０が開くと、これらダンパー４６０、４７０が干渉して互いに強い力が作用することがある。このため、温風ダンパー４７０が開いた状態でノズルダンパー４６０が開かないように制御することが望ましい。
【００７３】
ただし、図７に関して前述したように、第２の制御モードにおいて温風ダンパー４７０の開き角度を小さく設定したような場合、ノズルダンパー４６０との干渉は生じない。従って、このような場合には、ノズルダンパー４６０の状態には拘わらず、第２の制御モードを実行することも可能である。
【００７４】
以上、本実施形態における温風ダンパー４７０の開閉機構及びノズルダンパー４６０について説明した。  
次に、本実施形態のトイレ装置の内部構造について具体例を参照しつつさらに詳細に説明する。
【００７５】
図２５は、本体部４００の内部を前方から眺めた斜視図である。  
本体部４００は、前述したように、筐体を構成するケースカバー４３０とケースプレート７７０とを有する。ケースカバー４３０の上面には、人体検知センサ５００や表示部６７０が適宜設けられている。表示部６７０は、例えばトイレ装置に対する電源の投入状態などを適宜表示する役割を有する。また、ケースカバー４３０の前部の上部には、便座２００を自動開閉させるための便座開閉ユニット７８０が突出して設けられている。
【００７６】
一方、ケースカバー４３０の内部をみると、その前方には、ノズルユニット６１０、温風乾燥ユニット６２０、脱臭ユニット６３０、が併設されている。なお、図１７及び図１８などに表したように、温風ダンパー４７０を駆動するモータ４７２は、ノズルユニット６１０の下に設置されている。このようにすると、ノズルユニット６１０の下のスペースを有効に利用でき、また温風ダンパー４７０の近くから駆動力を伝達できる。
【００７７】
ノズルユニット６１０は、図７に関して前述したように、進退自在の吐水ノズルを有し、便座２００に座った使用者の「おしり」などに水を噴射して洗浄する役割を有する。脱臭ユニット６３０は、便器８００のボウル８１０内の空気を吸引し、脱臭して排気口４４０から排出する役割を有する。
【００７８】
また、ケースカバー４３０の内部の前部上方にはコントローラ６４０が設けられ、その後部には、バルブユニット６５０と熱交換ユニット６６０が設けられている。バルブユニット６５０から熱交換ユニット６６０に供給された水が加熱され、ノズルユニット６１０に併設されたポンプユニットで水に脈動を付与し、吐水ノズルにこの脈動水を供給する。
【００７９】
また、ケースカバー４３０の側面には、補助操作ユニット（図示せず）が適宜設けられている。補助操作ユニットは、ノズルユニット６１０による「おしり」の洗浄などを操作するスイッチが設けられ、例えば、リモコン（図示せず）による操作が不可能な状態においても衛生洗浄機能の動作を制御可能としたものである。
【００８０】
一方、ケースカバー４３０の内部の後部には、便蓋開閉ユニット７２０と便器洗浄バルブユニット７３０とが併設されている。便蓋開閉ユニット７２０は、便蓋３００を開閉する役割を有する。便器洗浄バルブユニット７３０は、便器８００に流す洗浄水の供給を制御する役割を有する。すなわち、本具体例のトイレ装置は、いわゆる「水道直結給水式」の構造を有し、ロータンクなどを設けずに、水道から供給される水を便器洗浄バルブユニット７３０を介して便器８００に供給して洗浄を実施する。ただし、本発明はこれには限定されず、ロータンク式のトイレに取付可能な衛生洗浄装置も包含する。
【００８１】
一方、ケースカバー４３０の内部の最後部には、室内暖房ユニット７４０が設けられている。室内暖房ユニット７４０は、温風を排出口４５０（図２参照）から排出することによりトイレ装置が設置されたトイレ空間を暖房する役割を有する。  
このような各種の機構を備えた本体部４００に、図１〜図２４に関して前述した温風ダンパー４７０及びその開閉機構が設けられている。
【００８２】
次に、本実施形態において、本体部４００の前面を後方に後退させて湾曲凹面４０２とした効果について説明する。  
図２６は、本実施形態のトイレ装置から便座２００と便蓋３００を外して前方から眺めた斜視図である。  
また、図２７は、比較例のトイレ装置を前方から眺めた斜視図である。なお、図２６及び図２７は、便器８００の前にしゃがんだ状態で便器を清掃する使用者の目線からみたボウル８１０の眺めを表し、具体的には、便器８００の前端からおよそ１００ミリメータ離れ、床面から約１０００ミリメータの高さから眺めたボウル８１０の外観を表す。
【００８３】
また、図２８は、本実施形態のトイレ装置の断面図であり、
図２９は、比較例のトイレ装置の断面図である。図２８及び図２９は、便器８００の前にしゃがんだ状態で便器を清掃する使用者の目線からみえる範囲を説明するための模式図である。
【００８４】
まず比較例について説明すると、図２７及び図２９に表した比較例においては、本体部４００は便器８００のボウル８１０の上に延出し、破線で表した領域４００Ｐがボウル８１０の開口の後方部分を塞いでいる。しかし、このように本体部４００がボウル８１０の上にはみだしていると、男性の立位の小用の際に小水が本体部４００にかかりやすくなる。また、このように本体部４００がボウル８１０の上にはみだしていると、ボウル８１０の有効開口面積が狭められるため、立位で小用をする男性に対して狭窄感を与える。また、このようにはみだした領域４００Ｐの裏面側にも汚れが付着しやすく、その清掃性の点でも改善の余地がある。
【００８５】
さらには、このように本体部４００がボウル８１０の上にはみだしていると、ボウル８１０の後方上部に汚れが付着しても見えず、且つ、その部位の清掃がしにくくかった。すなわち、図２７に表した比較例の場合、使用者が便器８００の前にしゃがんだ状態においても、ボウル８１０の上端のリム部８２０は、本体部のはみ出し領域４００Ｐの陰に隠れて見えない。このため、使用者が領域４００Ｐの下のリム部８２０を掃除するためには、さらにかがんだ姿勢で覗き込むようにしなければならない。  
これに対して、本実施形態においては、図２６及び図２８に表したように、本体部４００の前面を後退させて湾曲凹面４０２を形成することにより、男性の立位での小用の際にも小水がかかりにくくなり、使用者に対して視覚的な狭窄感を与えることもない。また、図４に関して前述したように、湾曲凹面４０２の中央付近を高くすることにより、男性の立位の小用に際して本体部４００に小水がかかったとしても、湾曲凹面４０２の中央付近の背の高い部分で小水を受けてボウル８１０に落下させることができる。つまり、小水が本体部４００の傾斜面４０８などにかかることを抑制でき、小水による汚れを可及的に減らすことができる。
【００８６】
そして、このように本体部４００を後退させることにより、本体部４００の裏面への汚れの付着も抑制でき、清掃性も格段に改善できる。すなわち、本実施形態によれば、図２８に表したように、便器８００の前にしゃがんだ使用者の視線からみて、ボウル８１０の後端のリム部８２０の上端付近まで見える。従って、使用者は、その姿勢のまま雑巾やブラシなどを用いてボウル８１０の後端まで清掃し、汚れが落ちてきれいになったことを確実且つ容易に確認できる。また、本実施形態においては、本体部４００のボウル８１０の上への突出量が抑制されているので、その突出部の裏側に付着した汚れなどを清掃することも容易である。例えば、雑巾などで清掃する際にも、使用者が本体部４００の裏側に雑巾をあてがった状態で、左右にサッと拭き取ることができる。
【００８７】
図３０は、本実施形態における湾曲凹面４０２とボウル８１０との関係を説明するための模式平面図である。  
同図に表したように、本体部の湾曲凹面４０２は、ボウル８１０の開口形状にほぼ沿った形態を保ちつつ、湾曲凹面４０２のほぼ全体がボウル８１０の開口端よりもボウル８１０の側にわずかに突出している。湾曲凹面４０２の左右前端でのボウル８１０への突出量をａ、ｂとし、中央付近でのボウル８１０への突出量をｃとすると、ａ及びｂは相対的に小さく、ｃは相対的に大きくすることができる。このようにすれば、ボウル８１０の開口形状と略連続させてボウル８１０のほとんどを露出させつつ、本体部４００とボウル８１０の開口端との隙間への小水などの侵入を効果的に防止できる。これは、男性の立位の小用の際には、小水は主に中央付近に向けられるからであり、さらに本体部４００とボウル８１０の開口端との隙間が湾曲凹面４０２で覆われるため、その隙間に小水が直接かからないからである。また、このようにすると、排水及び脱臭のためのスペース（突出部）を確保することも容易となる。
【００８８】
具体的には、例えば、ａ及びｂは概ね数ミリメータ乃至１０ミリメータ程度で、ｃは概ね１０ミリメータ乃至１０数ミリメータ程度とすることができる。このように湾曲凹面４０２をわずかに突出させれば、小水の侵入を可及的に抑制できる。またさらに、本体部４００からボウル８１０への排水を確保し、さらに脱臭機能のための脱臭吸気口を確保することもできる。
【００８９】
また、本体部４００のボウル８１０への突出部の突出量をこのように制限することにより、例えば使用者の手指の先端から第１関節までの範囲で、雑巾を本体部４００の裏側にまんべんなくあてがうことも可能となる。つまり、使用者は、手指の第１関節を軽く曲げた状態のまま、手指の先端に雑巾をあてがって、本体部４００の湾曲凹面４０２に沿って左右に雑巾をサッと滑らすことにより、本体部４００の裏側と、これに隣接するリム部８２０の上端部を確実に清掃することが可能となる。湾曲凹面４０２はボウル８１０と略連続した曲面を構成しているので、雑巾がひっかかることもなく、スムーズ且つ確実に清掃できる。
【００９０】
そして、本実施形態によれば、このように本体部４００の前面を後退させて湾曲凹面４０２を形成し、その中央付近に電動開閉式の温風ダンパー４７０を設けることにより、高さ方向の寸法が大きい温風の吹出口を確実に開閉でき、かつ使用者の「おしり」に温風を確実に届かせることができる。
【００９１】
以上、具体例を参照しつつ、本発明の実施の形態について説明した。しかし、本発明は、これらの具体例に限定されるものではない。例えば、本発明の衛生洗浄装置及びトイレ装置に含まれる、吐水ノズル、脱臭装置、温風乾燥装置、着座センサ、筺体、リモコン、腰掛便器などの各要素については、当業者が適宜設計変更することにより本発明を同様に実施し、同様の効果を得ることができるものも本発明の要旨を含む限り、本発明の範囲に包含される。その他、衛生洗浄装置や便器を構成する各要素について変更を加えたものであっても、本発明の要旨を備える限りにおいて、本発明の範囲に包含される。
【００９２】
また、本発明のトイレ装置は、「ロータンク式」のものでもよく、または、水道からの水を便器に直接給水し洗浄する「水道直結給水式」のものでもよい。  
また、例えば、吐水ノズルはモータではなく水圧により進出する構造のものも本発明の範囲に包含される。  
また、図１乃至図３０に関して前述した特徴部分は、技術的な可能な範囲においていかようにも組合せることができ、これら組合せにより得られた衛生洗浄装置及びトイレ装置についても、本発明の要旨を含む限りにおいて本発明の範囲に包含される。
【００９３】
その他、本発明の実施の形態として上述した衛生洗浄装置及びトイレ装置を基にして、当業者が適宜設計変更して実施しうるすべての衛生洗浄装置及びトイレ装置も同様に本発明の範囲に属する。
【図面の簡単な説明】
【００９４】
【図１】本実施形態にかかる衛生洗浄装置の要部構成を例示するブロック図である。
【図２】第１及び第２の制御モードの内容を例示するフローチャートである。
【図３】本発明の実施の形態にかかるトイレ装置の外観を表す模式斜視図である。
【図４】トイレ装置の便座２００と便蓋３００を開いた状態を表す。
【図５】本体部４００の中央部を正面から眺めた模式図である。
【図６】リモコンの具体例を表す模式図である。
【図７】ノズルダンパー４６０及び温風ダンパー４７０の開閉状態を表す模式図である。
【図８】第２の制御モードの具体例を表すフローチャートである。
【図９】第２の制御モードの具体例を表すフローチャートである。
【図１０】第２の制御モードの具体例を表すフローチャートである。
【図１１】第２の制御モードの具体例を表すフローチャートである。
【図１２】第２の制御モードの具体例を表すフローチャートである。
【図１３】第２の制御モードの具体例を表すフローチャートである。
【図１４】第２の制御モードの具体例を表すフローチャートである。
【図１５】第２の制御モードの実施例を表すタイミングチャートである。
【図１６】第２の制御モードのもうひとつの実施例を表すタイミングチャートである。
【図１７】温風ダンパー４７０の開閉機構を表す模式断面図である。
【図１８】温風ダンパー４７０の駆動機構を表す斜視組立図である。
【図１９】温風ダンパー４７０及びモータ４７２の取付部を表す模式図である。
【図２０】フレーム４８０をケースカバー４３０に取り付ける組立工程を表す斜視図である。
【図２１】温風の吹出口の形状を例示する模式図であり、（ａ）は本具体例における吹出口６２２を例示し、（ｂ）は比較例の吹出口６２２を例示する。
【図２２】（ａ）は本実施形態、（ｂ）は比較例の衛生洗浄装置の温風乾燥ユニットから放出される温風Ｈの分布を正面（前方）から眺めた模式図である。
【図２３】温風ダンパー４７０とノズルダンパー４６０との干渉を説明するための模式図である。
【図２４】温風ダンパー４７０とノズルダンパー４６０との干渉を説明するための模式図である。
【図２５】本体部４００の内部を前方から眺めた斜視図である。
【図２６】本実施形態のトイレ装置から便座２００と便蓋３００を外して前方から眺めた斜視図である。
【図２７】比較例のトイレ装置を前方から眺めた斜視図である。
【図２８】本実施形態のトイレ装置の断面図である。
【図２９】比較例のトイレ装置の断面図である。
【図３０】本実施形態における湾曲凹面４０２とボウル８１０との関係を説明するための模式平面図である。
【符号の説明】
【００９５】
１００ 衛生洗浄装置、２００ 便座、３００ 便蓋、３１０ 透過窓、４００ 本体部、４０２ 湾曲凹面、４０２Ａ、４０２Ｂ 開口、４０４ 延出部、４０８ 傾斜面、４１０ 凹設部、４２０ 人体検知センサ、４３０ ケースカバー、４４０ 排気口、４５０ 排出口、４６０ ノズルダンパー、４７０ 温風ダンパー、４７２ モータ（駆動手段）、４７３ 第１のレバー、４７４ 第２のレバー、４７５ 保持部、４７６ リンク軸、４８０ フレーム、４８１ スプリング、４９０ 取付台、５００ 人体検知センサ、６１０ ノズルユニット、６１１ ノズルヘッド、６１２ シリンダ部、６１３ シリンダ部、６２０ 温風乾燥ユニット、６２２ 吹出口、６３０ 脱臭ユニット、６４０ コントローラ、６４０ 制御部、６５０ バルブユニット、６６０ 熱交換ユニット、６７０ 表示部、７２０ 便座開閉ユニット、７３０ 便器洗浄バルブユニット、７４０ 室内暖房ユニット、７７０ ケースプレート、７８０ 便座開閉ユニット、８００ 便器、８１０ ボウル、８２０ リム部、９００ リモコン（操作部）、９０２、９０４、９０６、９０８、９１０ スイッチ
【図１】
0004840979.tif 000002
【図２】
0004840979.tif 000003
【図３】
0004840979.tif 000004
【図４】
0004840979.tif 000005
【図５】
0004840979.tif 000006
【図６】
0004840979.tif 000007
【図７】
0004840979.tif 000008
【図８】
0004840979.tif 000009
【図９】
0004840979.tif 000010
【図１０】
0004840979.tif 000011
【図１１】
0004840979.tif 000012
【図１２】
0004840979.tif 000013
【図１３】
0004840979.tif 000014
【図１４】
0004840979.tif 000015
【図１５】
0004840979.tif 000016
【図１６】
0004840979.tif 000017
【図１７】
0004840979.tif 000018
【図１８】
0004840979.tif 000019
【図１９】
0004840979.tif 000020
【図２０】
0004840979.tif 000021
【図２１】
0004840979.tif 000022
【図２３】
0004840979.tif 000023
【図２４】
0004840979.tif 000024
【図２５】
0004840979.tif 000025
【図２６】
0004840979.tif 000026
【図２７】
0004840979.tif 000027
【図２８】
0004840979.tif 000028
【図２９】
0004840979.tif 000029
【図３０】
0004840979.tif 000030
【図２２】
0004840979.tif 000031